(57)【特許請求の範囲】
【請求項１】
棒状化粧料の後端部を支持し外部に雄螺子を備える螺子棒と、その内部に前記雄螺子が螺合する雌螺子を備える内筒と、その前側に前記螺子棒を回転不能且つ軸線方向に摺動可能に収容すると共に、その後側に前記内筒を収容する外筒と、を備え、前記外筒と前記内筒とが相対回転されると前記棒状化粧料が進退し前記外筒の先端から出没する棒状化粧料カートリッジであって、
前記内筒は、前側の内筒と後側の内筒とに軸線方向に２分割され、
前記後側の内筒は、前記外筒に回転可能且つ軸線方向移動不能とされると共に所定の噛合部を有し後側から回転力が付与されて前記外筒と相対回転し、
前記前側の内筒は、前記後側の内筒の噛合部と噛み合い回転方向に係合する噛合部を有すると共に筒内に前記雌螺子を有し、前記後側の内筒に対して軸線方向に移動可能とされ、
前記外筒内には、前記噛合部同士が噛み合うように前記前側の内筒を後側に付勢する付勢手段が配置されていることを特徴とする棒状化粧料カートリッジ。
【請求項２】
前記噛合部は、軸線方向に突出する略山形形状の凸部を周方向に沿って並設して備えることを特徴とする請求項１記載の棒状化粧料カートリッジ。
【発明の詳細な説明】
【技術分野】
【０００１】
本発明は、棒状化粧料をカートリッジから出没可能とする棒状化粧料カートリッジに関する。
【背景技術】
【０００２】
従来、棒状化粧料を繰り出す棒状化粧料カートリッジを、円筒形状の容器であるペンシル筒の一方端側に装着し、他方端側には、例えば、別の棒状化粧料カートリッジ、又は、塗布具等を装着し、用途の多様化を図るようにした棒状化粧料繰出容器が知られている（例えば、特許文献１参照）。この棒状化粧料繰出容器を構成する棒状化粧料カートリッジは、棒状化粧料の後端部をその先端部に保持すると共にその後端部に雄螺子としての突起部を備える芯チャック軸と、その内部に芯チャック軸の突起部が螺合する螺旋溝を備える螺旋筒と、その前側に芯チャック軸を回転不能且つ軸線方向に摺動可能に収容すると共に、その後側に螺旋筒を回転可能且つ軸線方向移動不能に収容するカートリッジ筒と、を備える構成とされ、この棒状化粧料カートリッジはペンシル筒に対して回転可能且つ着脱可能（若しくは離脱不能）に装着され、この装着により、ペンシル筒内の軸線方向の略中央部に設けられ棒状化粧料カートリッジ側へ突出する係合部の山部が、螺旋筒の後端部に設けられた弾性突起に回転方向に係合し、螺旋筒は、ペンシル筒に回転不能に連結されてその後側からペンシル筒の回転力が付与される構成とされ、ペンシル筒とカートリッジ筒とが相対回転されると、螺旋筒とカートリッジ筒が相対回転し、芯チャック軸及びカートリッジ筒により構成された回り止め機構、芯チャック軸の突起部及び螺旋筒の螺旋溝により構成された螺合機構により、芯チャック軸が進退し棒状化粧料がカートリッジ筒の先端から出没する構成とされている。この棒状化粧料繰出容器にあっては、螺旋筒の弾性突起が、放射方向に弾力的に押し開き可能であるため、芯チャック軸の進退限（前進限、後退限）で使用者がそれ以上同方向へ相対回転操作をすると、螺旋筒の弾性突起がペンシル筒の係合部の山部を乗り越えて次の山部に係合する動作を繰り返す所謂クラッチとして機能し、部品に過負荷が作用しない構成とされている。
【特許文献１】実登３０３００３７号公報
【発明の開示】
【発明が解決しようとする課題】
【０００３】
ところで、近年にあっては、上記クラッチ機能を有する棒状化粧料カートリッジに対してさらなる高品質化の要求があり、例えば棒状化粧料繰出容器を落として衝撃や振動が作用しても、棒状化粧料の抜け出しや折損が防止される機構の採用が求められているが、上記構成のクラッチの採用ではその実現は難しい。
【０００４】
本発明は、このような課題を解決するために成されたものであり、前進限、後退限で使用者がそれ以上同方向へ相対回転操作をしても部品に過負荷が作用することが無く部品の損傷が防止され部品の保護が図られると共に、その繰り出し機能を従前に比して損なうこと無く衝撃や振動の作用による棒状化粧料の抜け出しや折損を防止し品質を高めた棒状化粧料カートリッジを提供することを目的とする。
【課題を解決するための手段】
【０００５】
本発明による棒状化粧料カートリッジは、棒状化粧料の後端部を支持し外部に雄螺子を備える螺子棒と、その内部に雄螺子が螺合する雌螺子を備える内筒と、その前側に螺子棒を回転不能且つ軸線方向に摺動可能に収容すると共に、その後側に内筒を収容する外筒と、を備え、外筒と内筒とが相対回転されると棒状化粧料が進退し外筒の先端から出没する棒状化粧料カートリッジであって、内筒は、前側の内筒と後側の内筒とに軸線方向に２分割され、後側の内筒は、外筒に回転可能且つ軸線方向移動不能とされると共に所定の噛合部を有し後側から回転力が付与されて外筒と相対回転し、前側の内筒は、後側の内筒の噛合部と噛み合い回転方向に係合する噛合部を有すると共に筒内に雌螺子を有し、後側の内筒に対して軸線方向に移動可能とされ、外筒内には、噛合部同士が噛み合うように前側の内筒を後側に付勢する付勢手段が配置されていることを特徴としている。
【０００６】
このような棒状化粧料カートリッジによれば、後側の内筒は、外筒に対して回転可能且つ軸線方向移動不能に収容されて後側から回転力が付与される構成であり、前側の内筒は、後側の内筒に対して軸線方向に移動可能とされると共に付勢手段により後側に付勢された状態で外筒に収容され、この付勢手段による付勢により前側の内筒に設けられている噛合部が後側の内筒に設けられている噛合部と噛み合い回転方向に係合し、さらに、前側の内筒は、その内部の雌螺子に、棒状化粧料の後端部を支持し外部に雄螺子を備える螺子棒のその雄螺子が螺合する構成のため、後側の内筒に後側から回転力が付与されると、この後側の内筒が噛合部を介し前側の内筒を伴って外筒に対して相対回転し、外筒の前側の内部及び螺子棒により構成された回り止め機構、螺子棒の雄螺子及び前側の内筒の雌螺子により構成された螺合機構により、螺子棒が円滑に進退し棒状化粧料が外筒の先端から良好に出没する一方で、螺子棒が前進限に達しさらに螺子棒の前進方向に相対回転力が付与される、又は、螺子棒が後退限に達しさらに螺子棒の後退方向に相対回転力が付与されると、螺子棒に螺合する前側の内筒が付勢手段の付勢力に抗して前進しつつ噛合部同士の噛み合いが解除され続いて前側の内筒が付勢手段の付勢力により後退して噛合部同士の噛み合いが回転方向の隣の噛み合い位置で復帰し、所謂クラッチとして機能する。このため、螺子棒の前進限、後退限で使用者がそれ以上同方向へ相対回転操作をしても部品に過負荷が作用することが無く、部品の損傷が防止される。また、棒状化粧料カートリッジを装着した棒状化粧料繰出容器に衝撃や振動が作用すると、後側の内筒は軸線方向に移動すること無く従って後側の内筒に対して後側から確実に回転力が付与される状態が維持されると共に、前側の内筒は、後側の内筒を残した状態で、当該前側の内筒に螺合する螺子棒を伴って付勢手段の付勢力に抗して前進し噛合部同士の噛み合いが解除される。この前側の内筒の前進及び付勢手段の緩衝作用により衝撃や振動が吸収されて、棒状化粧料の螺子棒からの抜け出し及び折損が防止される。また、衝撃や振動が無くなると、付勢手段が前側の内筒を付勢して前側の内筒及び棒状化粧料は後退し、噛合部同士の噛み合いが復帰する。
【０００７】
ここで、噛合部は、軸線方向に突出する略山形形状の凸部を周方向に沿って並設して備えていると、前側の内筒が前進する場合には、噛合部の噛み合いが直ちに解除され、前側の内筒が後退して戻る場合には、噛合部の略山形形状に従ってその噛み合いが円滑に復帰するようになる。
【発明の効果】
【０００８】
このように本発明によれば、部品に過負荷が作用することが無く部品の損傷が防止され部品の保護を図ることが可能となる。また、棒状化粧料が外筒の先端から良好に出没すると共に衝撃や振動の作用による棒状化粧料の抜け出しや折損が防止され、その繰り出し機能を従前に比して損なうこと無く品質を高めることが可能となる。
【発明を実施するための最良の形態】
【０００９】
以下、本発明による棒状化粧料カートリッジの好適な実施形態について図１〜図２３を参照しながら説明する。なお、各図において、同一の要素には同一の符号を付し、重複する説明は省略する。図１〜図３は、棒状化粧料カートリッジを備えた棒状化粧料繰出容器を示す各図、図４〜図６は、棒状化粧料カートリッジを装着するカートリッジ収容容器のカートリッジホルダを示す各図、図７は、カートリッジ収容容器の塗布具ホルダを示す縦断面図、図８及び図９は、棒状化粧料カートリッジを示す各図、図１０は、前側及び後側の内筒並びに引っ張りバネを示す斜視図、図１１〜図１４は、前側及び後側の内筒を示す各図、図１５〜図１８は、後側の内筒を示す各図、図１９〜図２３は、前側の内筒を示す各図であり、本実施形態の棒状化粧料カートリッジを備えた棒状化粧料繰出容器は、例えば、アイライナー、アイブロー、リップライナー等を始めとした種々の固形状の棒状化粧料を収容し、使用者が必要に応じて適宜出没可能とするものである。
【００１０】
図１に示すように、棒状化粧料繰出容器１００は、全体形状が筆記具の如き細長い丸棒状（スティック状）を成し良好な外観を呈するもので、図３に示すように、棒状化粧料Ｍを収容する棒状化粧料カートリッジ１を、図１〜図３に示すように、カートリッジ収容容器２の一方端側（図示左側）に着脱可能に備えると共に、このカートリッジ収容容器２の他方端側に、塗布具（本実施形態ではチップ）３を備えている。
【００１１】
カートリッジ収容容器２は、図３に示すように、外筒を成す円筒形状の軸筒５と、この軸筒５に収容され内筒を成すカートリッジホルダ６及び塗布具ホルダ７と、を有する構成とされている。このカートリッジホルダ６は軸筒５の一方側に装着され、塗布具ホルダ７は軸筒５の他方側に装着されている。
【００１２】
カートリッジホルダ６は、図４〜図６に示すように、段付円筒形状に構成され、図４及び図６に示すように、軸線方向略中央より後側から、先端（図示左側）までが外径大径部６ｘとされ、この外径大径部６ｘから後端（図示右側）近くまでが外径中径部６ｙとされ、この外径中径部６ｙから後端までが外径小径部６ｚとされている。このカートリッジホルダ６には、その外径大径部６ｘの先端に大径の鍔部６ａが設けられ、その外径大径部６ｘの外周面で鍔部６ａより後部側の位置に、円周方向に沿って凹凸が密に並設される所定長のローレット６ｂが、軸筒５に装着するためのものとして設けられている。
【００１３】
また、カートリッジホルダ６の外径中径部６ｙの外周面には、円周方向に沿って等配位置に（本実施形態では四等配の位置）に、軸線方向に延びる突条６ｃが形成され、外径小径部６ｚの外周面には、環状突部６ｄが形成されている。これらの突条６ｃ、環状突部６ｄは、塗布具ホルダ７を装着するためのものである。
【００１４】
また、図６に示すように、カートリッジホルダ６の内面で外径大径部６ｘと外径中径部６ｙとの境界部には、仕切壁６ｅが設けられ、この仕切壁６ｅには、円筒形状を成して前方に突出する係合部６ｆが設けられている。この係合部６ｆは、棒状化粧料カートリッジ１の後側の内筒１２を回転方向に係合するためのもので（詳しくは後述）、軸線方向に短尺に所定長延びる円筒体の外周面に、図５に示すように、軸線方向に延びる断面三角山形形状の突部６ｈを円周方向に沿って等配位置に複数（本実施形態では四個）設けた形状とされている。
【００１５】
また、カートリッジホルダ６には、図６に示すように、その先端側の内周面に、棒状化粧料カートリッジ１の本体筒１０を軸線方向に係止するための環状突部６ｇが設けられている。
【００１６】
このカートリッジホルダ６は、その後部側から軸筒５内に圧入され、図３に示すように、鍔部６ａの後端面が軸筒５の一方側の端面（図示左側端面）に当接し、ローレット６ｂが軸筒５の内周面に圧接することで、軸筒５に回転不能且つ軸線方向移動不能に装着されている。
【００１７】
塗布具ホルダ７は、図７に示すように、略円筒形状に構成され、その外周面の軸線方向略中央よりやや先端側（図示右側）の位置に、大径の鍔部７ａを備えている。この塗布具ホルダ７には、鍔部７ａより後端側（図示左側）の外周面に、円周方向に沿って凹凸が密に並設される所定長のローレット７ｂが、軸筒５に装着するためのものとして設けられている。また、塗布具ホルダ７には、その内周面の後端から先端側へ所定長に亘って円周方向に沿って凹凸が密に並設されるローレット７ｃが設けられていると共に、その内周面のローレット７ｃより多少先端側の位置に環状溝７ｄが設けられている。このローレット７ｃは、カートリッジホルダ６の突条６ｃを回転方向に係合するためのもので、環状溝７ｄは、カートリッジホルダ６の環状突部６ｄを軸線方向に係合するためのものである。
【００１８】
この塗布具ホルダ７は、その後部側から軸筒５内に圧入され、図３に示すように、鍔部７ａが軸筒５の他方側の端面（図示右側端面）に当接し、ローレット７ｂが軸筒５の内周面に圧接することで、軸筒５に回転不能且つ軸線方向移動不能に装着されている。また、この状態で、塗布具ホルダ７のローレット７ｃにカートリッジホルダ６の突条６ｃが進入し回転方向に係合すると共に、塗布具ホルダ７の環状溝７ｄとカートリッジホルダ６の環状突部６ｄとが軸線方向に係合し、カートリッジホルダ６と塗布具ホルダ７とが回転不能且つ軸線方向移動不能に連結されている。
【００１９】
そして、この塗布具ホルダ７に対しては、その先端側に塗布具３が装着され、この塗布具３を覆い保護するキャップ８は、塗布具ホルダ７の軸筒５からの突出部分に当接することで、塗布具ホルダ７に対して着脱可能に装着されている。
【００２０】
一方、棒状化粧料カートリッジ１は概略、図８及び図９に示すように、円筒形状を成し軸線方向に延びる外筒としての本体筒１０と、図９に示すように、本体筒１０に収容され螺合機構を構成する雌螺子を有する内筒１１と、本体筒１０に収容されて軸線方向に延在し、先端に棒状化粧料Ｍを支持すると共に螺合機構を構成する雄螺子を有する螺子棒１４とを備え、本体筒１０と内筒１１を相対回転すると、螺子棒１４が進退し棒状化粧料Ｍが本体筒１０の先端から出没するものである。なお、ここで用いられている棒状化粧料Ｍは、横断面が楕円形状の棒状化粧料である。
【００２１】
本体筒１０は、図３に示すように、カートリッジ収容容器２の先端から突出する摘み部としての先端部と、この先端部に外周段差面１０ａを介し外周面が小径とされカートリッジ収容容器２に収容される収容部とを備える段付円筒形状とされている。
【００２２】
先端部は、先端に向けて次第に外径が細くなる先細り形状とされ、収容部は、図８及び図９に示すように、外周段差面１０ａ寄りの外周面に、カートリッジ収容容器２の環状突部６ｇに軸線方向に着脱可能に係合するための環状溝１０ｂを備えると共に、この環状溝１０ｂと外周段差面１０ａとの間の位置に環状溝１０ｃを備えている。この環状溝１０ｃには、カートリッジ収容容器２のカートリッジホルダ６と棒状化粧料カートリッジ１の本体筒１０との間に良好な回転抵抗を与えると共に、カートリッジ収容容器２内における棒状化粧料カートリッジ１の径方向のガタツキを防止するためのＯリング１５が装着されている。
【００２３】
本体筒１０の軸線方向に貫通する筒孔は、図９に示すように、先端から軸線方向中央辺りまでが、楕円形状の棒状化粧料Ｍを収容し摺動を可能とする楕円孔１０ｄとされ、この楕円孔１０ｄの終端から本体筒１０の後端迄が、楕円孔より大径の円形形状の孔とされている。この円形形状の孔の後部側には、内周段差面１０ｅが設けられ、この内周段差面１０ｅより後端側が大径とされている。この内周段差面１０ｅは、後述の引っ張りバネ（付勢手段）１６の一方端側（図示右端側）を掛止するためのものである。また、大径の円形形状の孔は、その後端部側に、内筒１１を構成する後側の内筒１２を軸線方向に係合するための環状溝１０ｆを備えている。
【００２４】
そして、上記楕円孔１０ｄの先端近傍から当該楕円孔１０ｄの後端に亘る当該楕円孔１０ｄの周囲の複数箇所（本実施形態では四箇所）には、螺子棒１４の後述する支持片１４ｄを収容し摺動を可能とする進退溝１０ｇが連設され、これらの楕円孔１０ｄ及び進退溝１０ｇにより進退孔１０ｈが構成されている。
【００２５】
螺子棒１４は、本体筒１０の進退孔１０ｈに収容される支持部１４ａと、主に内筒１１に収容される軸体部１４ｂと、を備えている。支持部１４ａは、棒状化粧料Ｍの後端部を支持して進退孔１０ｈを進退するもので、棒状化粧料Ｍの後端面が突き当てられる短尺楕円柱形状の基部１４ｃと、この基部１４ｃの外周面の周方向の複数位置（本実施形態では四箇所）に先端側に向かって突出するように設けられ、棒状化粧料Ｍの後端部の外周面をその内周面で挟み込んで支持する支持片１４ｄと、を備える構成とされている。
【００２６】
軸体部１４ｂは、先端部が円柱形状の軸部１４ｅとされ、この軸部１４ｅより後端までの外周面が、螺合機構を構成する雄螺子１４ｆとされている。なお、この雄螺子１４ｆより前側の部分が、後述の前側の内筒１３の螺合突起１３ｚに突き当たる後退限とされ、螺子棒１４の後退限に対応するものとされている。
【００２７】
この螺子棒１４は、その基部１４ｃが本体筒１０の楕円孔１０ｄに摺動可能に内挿されると共にその支持片１４ｄが本体筒１０の進退溝１０ｇに摺動可能に内挿されている。なお、進退溝１０ｇの先端面が、支持片１４ｂが突き当たる前進限とされ、螺子棒１４の前進限に対応するものとされている。
【００２８】
特に本実施形態の特徴を成す内筒１１は、図１１〜図１４に示すように、軸線方向後側の内筒１２及び前側の内筒１３を備えている。これらの後側及び前側の内筒１２，１３は、例えば合成樹脂等の可撓性材より構成されている。
【００２９】
前側の内筒１３は、図１９〜図２３に示すように、段付円筒形状に構成され、先端側が外径大径部１３ｘとされ、この外径大径部１３ｘから後端までが外径小径部１３ｙとされている。この前側の内筒１３の外径大径部１３ｘの先端側の内周面には、図２０〜図２３に示すように、螺合機構の雌螺子を構成する一対の螺合突起１３ｚ，１３ｚが対向して設けられている。
【００３０】
この前側の内筒１３の外径小径部１３ｙは、引っ張りバネ１６を配置した時に当該引っ張りバネ１６の外周面が、前側の内筒１３の外径大径部１３ｘの外周面と略同径を成すように、外径大径部１３ｘに対して小径とされている。この前側の内筒１３の外径小径部１３ｙには、図１９及び図２３に示すように、その先端側の外周面に、引っ張りバネ１６の他方端側（図示左端側）を掛止するための掛止突部１３ａが、軸線を挟んだ両側に一対対向して設けられている。
【００３１】
また、前側の内筒１３の外径小径部１３ｙの後端部には、図１９及び図２１に示すように、後側の内筒１２と回転方向に係合するための噛合部１３ｂが設けられている。この噛合部１３ｂは、軸線方向後側に突出する略山形形状の凸部１３ｂｂを円周方向に沿って等配位置に複数（本実施形態では四個）備えたものである。これらの略山形形状の凸部１３ｂｂは、円筒形状の外径小径部１３ｙの外周面をその後端から軸線方向先端側に向かって所定形状に凹ませることで、円筒部１３ｎの外周側に設けられている。
【００３２】
一方、後側の内筒１２は、図１５〜図１８に示すように、略円筒形状に構成され、その内周面は、前側の内筒１３の後端部が進入する大きさとされている。この後側の内筒１２の後端部には大径の鍔部１２ａが設けられ、後側の内筒１２の外周面には、図１５〜図１７に示すように、その軸線方向の略中央に、本体筒１０の環状溝１０ｆに軸線方向に係合するための環状突部１２ｆが設けられている。
【００３３】
また、図１６〜図１８に示すように、後側の内筒１２には、その内周面の後端部に、円周方向に沿って凹凸が密に並設される所定長のローレット１２ｈが、カートリッジホルダ６の突部６ｈに回転方向に係合するためのものとして設けられている。
【００３４】
また、図１６及び図１７に示すように、後側の内筒１２には、その内周面のローレット１２ｈの先端に近接する位置に、前側の内筒１３の噛合部１３ｂと回転方向に係合するための噛合部１２ｂが設けられている。この噛合部１２ｂは、軸線方向先端側に突出する略山形形状の凸部１２ｂｂを円周方向に沿って連続して多数（本実施形態では八個）備えたものである。これらの略山形形状の凸部１２ｂｂは、円筒形状の後側の内筒１２の内周面をその先端から軸線方向後端側に向かって所定形状に凹ませることで、ローレット１２ｈの先端に近接し且つローレット１２ｈより半径径方向外側に設けられている。
【００３５】
これらの後側及び前側の内筒１２，１３にあっては、図１１〜図１４に示すように、前側の内筒１３が、その後部側から後側の内筒１２に内挿され、略山形形状の凸部１３ｂｂが、後側の内筒１２の略山形形状の凸部１２ｂｂ，１２ｂｂ同士の間に進入することで、噛み合い回転方向に係合状態にある。
【００３６】
そして、これらの後側及び前側の内筒１２，１３より成る内筒１１は、図９に示すように、その前側から本体筒１０に内挿され、後側の内筒１２の鍔部１２ａが本体筒１０の後端面に当接し、後側の内筒１２の環状突部１２ｆが、本体筒１０の環状溝１０ｆに係合することで、後側の内筒１２が本体筒１０に対して回転可能且つ軸線方向移動不能に装着されている。
【００３７】
この状態で、内筒１１には、その前側から螺子棒１４の雄螺子１４ｆが内挿され、当該雄螺子１４ｆが、前側の内筒１３の螺合突起１３ｚ，１３ｚに螺合する螺合状態とされている。
【００３８】
また、この状態にあっては、前側の内筒１３の掛止突部１３ａが、本体筒１０の内周段差面１０ｅより前側に位置し、この本体筒１０の内周段差面１０ｅと前側の内筒１３の掛止突部１３ａとの間に引っ張りバネ１６が配設されている。この引っ張りバネ１６は、図１０に示すように、その一方端側（図示右端側）が、巻回径を大きくすることでこれより前側の部分より半径方向外側に位置し、その他方端側に、前側の内筒１３の掛止突部１３ａが進入するための所定の隙間１６ａをバネ材同士の間に有する構成とされている。
【００３９】
この引っ張りバネ１６は、前側の内筒１３の外径小径部１３ｙにおける後側の内筒１２からの突出部分を囲繞するようにして配設され、図９に示すように、その一方端側が本体筒１０の内周段差面１０ｅに掛止されると共に、その他方端側の隙間１６ａに掛止突部１３ａが進入することで当該他方端側が掛止突部１３ａに掛止され（図１０参照）、当該引っ張りバネ１６の付勢力により、前側の内筒１３は、後側の内筒１２に押し付けられて噛合部１２ｂ，１３ｂ同士が噛み合い回転不能且つ軸線方向移動可能に連結され、図９に示す後退限に位置する状態とされている。
【００４０】
このような構成の棒状化粧料カートリッジ１を組み立てる場合には、先ず、引っ張りバネ１６を、その先端側から前側の内筒１３に外挿して当該引っ張りバネ１６の他方端側を前側の内筒１３の掛止突部１３ａに掛止し、次いで、この前側の内筒１３と後側の内筒１２とを噛合部１２ｂ，１３ｂが噛み合うようにして組み立て、次いで、螺子棒１４を、その後端側から前側の内筒１３に内挿し、螺子棒１４の雄螺子１４ｆを螺合突起１３ｚ，１３ｚに螺合させ、螺合状態で螺子棒１４を後退限まで螺子込む。
【００４１】
次いで、この組立体を本体筒１０の後側から内挿して組み込む。これにより、引っ張りバネ１６の一方端側が本体筒１０の内周段差面１０ｅに掛止される。次いで、棒状化粧料Ｍを本体筒１０の先端の開口から挿入し螺子棒１４に装着すれば、図９に示す棒状化粧料カートリッジ１が得られる。
【００４２】
そして、この棒状化粧料カートリッジ１は、図３に示すように、その後部からカートリッジ収容容器２の一方端側の開口に内挿され、本体筒１０の外周段差面１０ａがカートリッジ収容容器２のカートリッジホルダ６の鍔部６ａの端面に当接し、本体筒１０のＯリング１５がカートリッジホルダ６の内周面に当接すると共に本体筒１０の環状溝１０ｂがカートリッジホルダ６の環状突部６ｇに係合することで、本体筒１０が、カートリッジ収容容器２に対して回転可能に連結されると共に、例えば棒状化粧料Ｍが使用限に達し棒状化粧料カートリッジ１ごとの交換が必要な場合等で使用者により所定の力で引き抜かれる以外は、カートリッジ収容容器２に対して軸線方向移動不能とされている。
【００４３】
この棒状化粧料カートリッジ１がカートリッジ収容容器２に装着されている状態にあっては、棒状化粧料カートリッジ１の後側の内筒１２のローレット１２ｈにカートリッジホルダ６の突部６ｈが進入して係合し、後側の内筒１２とカートリッジ収容容器２とが回転不能に連結されている。
【００４４】
このように構成された棒状化粧料繰出容器１００にあっては、カートリッジ収容容器２と棒状化粧料カートリッジ１の本体筒１０を持って相対回転すると、カートリッジ収容容器２と後側の内筒１２が回転不能に連結されていると共に、前側の内筒１３が引っ張りバネ１６により後側に付勢されて噛合部１２ｂ，１３ｂ同士が互いに噛み合い後側の内筒１２に対して前側の内筒１３が回転方向に係合され、さらに、前側の内筒１３の螺合突起１３ｚと螺子棒１４の雄螺子１４ｆが螺合機構を構成すると共に、螺子棒１４の支持片１４ｄと本体筒１０の進退溝１０ｇが回り止め機構を構成しているため、螺子棒１４が円滑に進退し、棒状化粧料Ｍが本体筒１０の先端から突出することで塗布が可能とされる。
【００４５】
ここで、螺子棒１４が前進して前進限に達しさらに螺子棒１４の前進方向に使用者により相対回転力が付与される、又は、螺子棒１４が後退して後退限に達しさらに螺子棒１４の後退方向に使用者により相対回転力が付与されると、螺子棒１４に螺合する前側の内筒１３が引っ張りバネ１６の付勢力に抗して前進しつつ噛合部１２ｂ，１３ｂ同士の噛み合いが解除され、続いて、前側の内筒１３が引っ張りバネ１６の付勢力により後退して噛合部１２ｂ，１３ｂ同士の噛み合いが回転方向の隣の噛み合い位置で復帰し、所謂クラッチとして機能し、同方向の相対回転が続けられると、この噛合部１２ｂ，１３ｂ同士の噛み合いの解除・復帰の動作が繰り返される。
【００４６】
このため、螺子棒１４の前進限、後退限（進退限）で使用者がそれ以上同方向へ相対回転操作をしても部品に過負荷が作用することが無く、部品の損傷が防止されている。
【００４７】
また、このような棒状化粧料繰出容器１００にあっては、例えば、当該棒状化粧料繰出容器１００を落とす等して衝撃や振動が作用しても、カートリッジ収容容器２と後側の内筒１２が軸線方向移動不能に連結されていると共に、引っ張りバネ１６により後側に付勢されている前側の内筒１３が軸線方向に移動可能であるため、後側の内筒１２は軸線方向に移動すること無く従って後側の内筒１２に対して後側から確実に回転力が付与される状態が維持されると共に、前側の内筒１３は後側の内筒１２を残した状態で、当該前側の内筒１３に螺合する螺子棒１４を伴って引っ張りバネ１６の付勢力に抗して当該引っ張りバネ１６を伸張しつつ前進し、これにより、噛合部１２ｂ，１３ｂ同士の噛み合いが解除される。この前側の内筒１３の前進及び引っ張りバネ１６の伸張作用により衝撃や振動が吸収されて、棒状化粧料Ｍの螺子棒１４からの抜け出し及び折損が防止される。そして、衝撃や振動が無くなると、引っ張りバネ１６が前側の内筒１３を引っ張り、前側の内筒１３及び棒状化粧料Ｍは後退し、噛合部１２ｂ，１３ｂ同士の噛み合いが復帰する。
【００４８】
このように、本実施形態においては、部品に過負荷が作用することが無く部品の損傷が防止され部品の保護が図られている。また、棒状化粧料Ｍが本体筒１０の先端から良好に出没すると共に衝撃や振動の作用による棒状化粧料Ｍの抜け出しや折損が防止されているため、その繰り出し機能を従前に比して損なうこと無く品質が高められている。
【００４９】
また、本実施形態においては、噛合部１２ｂ，１３ｂが、軸線方向に突出する略山形形状の凸部１２ｂｂ，１３ｂｂを周方向に沿って並設して備える構成のため、前側の内筒１３が前進する場合には、噛合部１２ｂ，１３ｂの噛み合いが直ちに解除されて前側の内筒１３が後側の内筒１２に対して回転方向に自由とされ、前側の内筒１３が後退して戻る場合には、当該前側の内筒１３が回転方向にズレていても噛合部１２ｂ，１３ｂの略山形形状に従ってその噛み合いが円滑に復帰するようになっている。
【００５０】
以上、本発明をその実施形態に基づき具体的に説明したが、本発明は上記実施形態に限定されるものではなく、例えば、上記実施形態においては、棒状化粧料カートリッジ１を交換するものとして、棒状化粧料カートリッジ１をカートリッジ収容容器２に対して着脱可能としているが、着脱不能とすることも勿論可能である。
【００５１】
また、上記実施形態においては、横断面が楕円形状の棒状化粧料Ｍに対する適用を述べているが、勿論横断面が円形形状の棒状化粧料に対しても適用可能であり、この場合には、楕円孔１０ｄを円形孔とし、支持部１４ａの基部１４ｃを円柱形状とすれば良い。
【００５２】
また、上記実施形態においては、螺合機構を、螺子棒１４の雄螺子１４ｆ及び前側の内筒１３の螺合突起１３ｚにより構成しているが、螺合機構は、螺旋状部、又は、間欠的に配される突起群、又は、螺旋状且つ間欠的に配される突起群等、螺子山と同様な働きをするものであれば良い。
【００５３】
また、上記実施形態においては、噛合部１２ｂ，１３ｂ同士が噛み合うように前側の内筒１３を後側に付勢する付勢手段を引っ張りバネ１６としているが、配置構成等を変えて圧縮バネを採用することも可能であり、さらには、例えば樹脂等で構成される樹脂バネ等を採用することも可能である。
【図面の簡単な説明】
【００５４】
【図１】本発明の実施形態に係る棒状化粧料カートリッジを備えた棒状化粧料繰出容器を示す側面図である。
【図２】図１に示す棒状化粧料繰出容器の塗布具のキャップを外した図である。
【図３】図１に示す棒状化粧料繰出容器の縦断面図であり、棒状化粧料を繰り出す前の状態図である。
【図４】図３中のカートリッジホルダを示す側面図である。
【図５】図４に示すカートリッジホルダの正面図である。
【図６】図４に示すカートリッジホルダの縦断面図である。
【図７】図３中の塗布具ホルダを示す縦断面図である。
【図８】図１〜図３中の棒状化粧料カートリッジを示す側面図である。
【図９】図８に示す棒状化粧料カートリッジの縦断面図である。
【図１０】図９中の前側及び後側の内筒並びに引っ張りバネを示す斜視図である。
【図１１】図９中の前側及び後側の内筒を示す斜視図である。
【図１２】図１１に示す前側及び後側の内筒の縦断斜視図である。
【図１３】図１１に示す前側及び後側の内筒の一部断面分解側面図である。
【図１４】図１１に示す前側及び後側の内筒の一部断面分解斜視図である。
【図１５】図９〜図１４中の後側の内筒を示す側面図である。
【図１６】図１５に示す後側の内筒の縦断面図である。
【図１７】図１５に示す後側の内筒の正面図である。
【図１８】図１５に示す後側の内筒の背面図である。
【図１９】図９〜図１４中の前側の内筒を示す斜視図である。
【図２０】図１９に示す前側の内筒の縦断面図である。
【図２１】図１９に示す前側の内筒の背面図である。
【図２２】図１９に示す前側の内筒の正面図である。
【図２３】図２０に示す前側の内筒の直交縦断面図である。
【符号の説明】
【００５５】
１…棒状化粧料カートリッジ、１０…本体筒（外筒）、１１…内筒、１２…後側の内筒、１２ｂ…後側の内筒の噛合部、１２ｂｂ，１３ｂｂ…略山形形状の凸部、１３…前側の内筒、１３ｂ…前側の内筒の噛合部、１３ｚ…前側の内筒の雌螺子、１４…螺子棒、１４ｆ…螺子棒の雄螺子、１６…引っ張りバネ（付勢手段）、１００…棒状化粧料繰出容器、Ｍ…棒状化粧料。
【図１】
0004739856.tif 000002
【図２】
0004739856.tif 000003
【図３】
0004739856.tif 000004
【図４】
0004739856.tif 000005
【図５】
0004739856.tif 000006
【図６】
0004739856.tif 000007
【図７】
0004739856.tif 000008
【図８】
0004739856.tif 000009
【図９】
0004739856.tif 000010
【図１０】
0004739856.tif 000011
【図１１】
0004739856.tif 000012
【図１２】
0004739856.tif 000013
【図１３】
0004739856.tif 000014
【図１４】
0004739856.tif 000015
【図１５】
0004739856.tif 000016
【図１６】
0004739856.tif 000017
【図１７】
0004739856.tif 000018
【図１８】
0004739856.tif 000019
【図１９】
0004739856.tif 000020
【図２０】
0004739856.tif 000021
【図２１】
0004739856.tif 000022
【図２２】
0004739856.tif 000023
【図２３】
0004739856.tif 000024